(57)【要約】【課題】色の変化により酸素濃度を正確に知ることができる上、製作が容易な食品包装袋の酸素濃度表示装置を提供する。【解決手段】食品包装袋の酸素濃度表示装置は、通気可能な袋体１０及び検知ユニット２０を備える。通気可能な袋体１０は、内部に脱酸素剤３０が収納されている。検知ユニット２０は、袋体１０に固着され、少なくとも１つの開口を介して袋体１０の外部の空気と接触する試験片２４を有する。試験片２４は、空気中の酸素濃度が所定値より低いときに第１の色を示し、空気中の酸素濃度が所定値より高いときに第２の色を示す。【選択図】図４
0003158516.tif 000002
【実用新案登録請求の範囲】
【請求項１】
脱酸素剤と、
この脱酸素剤を内部に収納する通気可能な袋体と、
前記袋体に固着される検知ユニットと、
前記検知ユニットに設けられ、前記袋体の外部の空気と接触するとともに、空気中の酸素濃度が所定値より低いときに第１の色を示し、空気中の酸素濃度が所定値より高いときに第２の色を示す試験片と、
を備えたことを特徴とする食品包装袋の酸素濃度表示装置。
【請求項２】
前記検知ユニットは、開口が設けられた側袋をさらに有し、前記試験片を前記側袋の内部に有することを特徴とする請求項１に記載の食品包装袋の酸素濃度表示装置。
【請求項３】
前記側袋は、上カバー面と下カバー面とを貼り合せて内部に空間が形成され、２つの長辺及び２つの短辺を有する長形体であり、
前記空間には、試験片が収納され、前記開口は、前記２つの短辺にそれぞれ設けられた第１の開口及び第２の開口を含み、前記上カバー面に少なくとも１つの第１のウィンドウが設けられ、前記下カバー面に少なくとも１つの第２のウィンドウが設けられていることを特徴とする請求項２に記載の食品包装袋の酸素濃度表示装置。
【請求項４】
前記第１のウィンドウ及び前記第２のウィンドウは、前記側袋の外部と内部空間とが連通する開口であることを特徴とする請求項３に記載の食品包装袋の酸素濃度表示装置。
【請求項５】
前記側袋は、上カバー面と下カバー面とを貼り合せて形成した空間を有し、封止された２つの長辺及び２つの短辺を有する長形体であり、
前記空間には、試験片が収納され、前記開口は、前記上カバー面に設けられた第１の開口と、前記下カバー面に設けられた第２の開口と、を含むことを特徴とする請求項２に記載の食品包装袋の酸素濃度表示装置。
【請求項６】
前記袋体と前記側袋とはシートを熱圧着してからカットし、一体成形されることを特徴とする請求項２に記載の食品包装袋の酸素濃度表示装置。
【請求項７】
前記袋体は接合辺を有し、
前記側袋は、前記接合辺と固着される突合せ辺を有することを特徴とする請求項２に記載の食品包装袋の酸素濃度表示装置。
【考案の詳細な説明】
【技術分野】
【０００１】
本考案は、食品包装に関し、特に、食品包装袋の中に入れる食品包装袋の酸素濃度表示装置に関する。
【背景技術】
【０００２】
食品包装袋の中にある食物（例えば、ケーキ）の鮮度を保つために、メーカは食品包装袋の中に脱酸素剤を含む子袋を入れることにより、食品包装袋の中の酸素濃度を有効に下げ、食物が酸素に触れて腐敗が進むことを防ぐことができる。また、食品包装袋の中の酸素濃度が標準値の範囲内にあるか否かを判断するために、脱酸素剤を有する子袋に入れられた化学薬品が滲みこんだ紐の色を観察すると、食品包装袋の中の酸素濃度が高いか否かを判断することができる。図１及び図２に示すように、子袋１は、メイン袋１ａ及びサブ袋１ｂを含む。メイン袋１ａは、複数の通気孔１ｃを含み、脱酸素剤２が内部に収納されている。サブ袋１ｂ間には、化学薬品が滲みこんだ紐３が挟設されている。紐３は、食品包装袋の中の酸素濃度が所定値を超えたときに、色が変化する。即ち、紐３の色が変化しないときは、食品包装袋の中の酸素濃度が安全範囲内にあることを示す。
【０００３】
従来技術において、品質管理に用いる紐３は、以下（１）及び（２）の問題点があった。
（１）紐３が複数の細線が巻き付けられて構成され、化学薬品の槽に浸漬した後でも、全ての部分が完全かつ均一に化学薬品が吸収されるとは限らない。例えば、図３に示すように、紐３は、細線３ａと細線３ｂとが巻き付けられる箇所に化学薬品が十分に滲みないことがあった。この場合、食品包装袋の中の酸素濃度が設定値を超えても色の変化が不均一となり、判断を誤る虞があった。
（２）占有空間を低減するために、一般にメーカは線径が小さい紐３を用いるが、その場合、紐３を化学薬品に浸漬する工程で、（ａ）紐３を多数回巻いてから化学薬品の槽に入れる工程が煩雑であり、（ｂ）多数回巻かれた紐３が絡まり易く、（ｃ）化学薬品に浸漬した後の紐３のカットに、時間及び労力が余計にかかり、作業時間が増加して効率が悪いといった問題が発生する虞があった。
【考案の概要】
【考案が解決しようとする課題】
【０００４】
本考案の目的は、色の変化により酸素濃度を正確に知ることができる上、製作が容易な食品包装袋の酸素濃度表示装置を提供することにある。
【課題を解決するための手段】
【０００５】
上記目的を達成するためになされた請求項１に記載の食品包装袋の酸素濃度表示装置は、通気可能な袋体及び検知ユニットを備え、通気可能な袋体は、内部に脱酸素剤が収納され、検知ユニットは、袋体に固着され、袋体の外部の空気と接触する試験片を有し、試験片は、空気中の酸素濃度が所定値より低いときに第１の色を示し、空気中の酸素濃度が所定値より高いときに第２の色を示すことを特徴とする。
【０００６】
検知ユニットは、開口が設けられた側袋をさらに有し、試験片を側袋の内部に有することが好ましい。
【０００７】
側袋は、上カバー面と下カバー面とを貼り合せて内部に空間が形成され、２つの長辺及び２つの短辺を有する長形体であり、空間には、試験片が収納され、少なくとも１つの開口は、２つの短辺にそれぞれ設けられた第１の開口及び第２の開口を有し、上カバー面に少なくとも１つの第１のウィンドウが設けられ、下カバー面に少なくとも１つの第２のウィンドウが設けられていることが好ましい。
【０００８】
第１のウィンドウ及び第２のウィンドウは、側袋の外部と内部空間とが連通する開口であることが好ましい。
【０００９】
側袋は、上カバー面と下カバー面とを貼り合せて形成した空間を有し、封止された２つの長辺及び２つの短辺を有する長形体であり、空間には、試験片が収納され、少なくとも１つの開口は、上カバー面に設けられた第１の開口と、下カバー面に設けられた第２の開口と、を有することが好ましい。
【００１０】
袋体と側袋とはシートを熱圧着してからカットし、一体成形されることが好ましい。
【００１１】
袋体は接合辺を有し、側袋は、接合辺と固着される突合せ辺を有することが好ましい。
【考案の効果】
【００１２】
本考案の食品包装袋の酸素濃度表示装置は、色の変化により酸素濃度を正確に知ることができる上、製作が容易である。
【図面の簡単な説明】
【００１３】
【図１】従来の酸素濃度表示装置を示す平面図である。
【図２】図１の線２−２に沿った断面図である。
【図３】従来の酸素濃度の検出に用いる紐を示す模式図である。
【図４】本考案の一実施形態による酸素濃度表示装置を示す斜視図である。
【図５】図４の５−５線断面図である。
【図６】図４の部分拡大図である。
【図７】本考案の一実施形態による側袋の上カバー面及び下カバー面に設けられた開口を示す斜視図である。
【図８】本考案の一実施形態による側袋の封止された長辺及び短辺を示す斜視図である。
【図９】図８の部分断面図である。
【図１０】袋体と検知ユニットとを個別に製作したときの状態を示す模式図である。
【考案を実施するための形態】
【００１４】
以下、本考案の実施形態について図に基づいて説明する。なお、これによって本考案が限定されるものではない。
【００１５】
図４及び図５を参照する。図４及び図５に示すように、本考案の一実施形態による食品包装袋の中の酸素濃度表示装置１００は、袋体１０及び検知ユニット２０を含む。
【００１６】
袋体１０は、通気性を有し、内部に脱酸素剤３０が収納されている。本実施形態の袋体１０は、上膜１０ａ、中膜１０ｂ及び下膜１０ｃの積層構造を含む。上膜１０ａ及び中膜１０ｂには、それぞれ複数の通気孔１２が設けられている。中膜１０ｂは、通気性を有する隔離材からなるため、袋体１０の中にある脱酸素剤３０が通気孔から出て食品包装袋の中の食物が汚染されることを防ぐことができる。
【００１７】
検知ユニット２０は、側袋２２及び試験片２４を含む。本実施形態の側袋２２と袋体１０とは、シートを熱圧着してから側部を封止してカットし、一体成形する。さらに、側袋２２は、上カバー面２２ａと下カバー面２２ｂとを貼り合せ、空間２２ｃを内部に有し、２つの長辺２２ｄと２つの短辺２２ｅとを有する長形体を有する。空間２２ｃには試験片２４が収納され、側袋２２の２つの短辺２２ｅのそれぞれは、カットされて形成された第１の開口２２ｆ及び第２の開口２２ｇを有する。図６に示すように、試験片２４は、開口により外部の空気と接触される。さらに、側袋２２の上カバー面２２ａ及び下カバー面２２ｂが透明であるため、側袋２２の中に収納された試験片２４を外から見ることができる。ここで、透明な上カバー面２２ａ及び下カバー面２２ｂのそれぞれは第１のウィンドウ及び第２のウィンドウである。
【００１８】
試験片２４は、大面積の紙材に化学薬品を浸漬してからカットされたものである。本実施形態の試験片２４は、細長形状であり、空気中の酸素濃度が０．１％より低いときに第１の色を示し、空気中の酸素濃度が０．１％より高いときに第２の色を示し、試験片２４の色の変化を観察して食品包装袋の中の酸素濃度が許容された安全値の範囲にあるか否かを判断し、食物の腐敗の有無を判断する。
【００１９】
試験片２４を用いて空気中の酸素濃度を検知する本考案は、以下（１）〜（３）の長所を有する。
（１）試験片２４は、主に短くて細い繊維が均等に配置されて構成され、吸収効果に優れている。そのため、大面積の紙材に化学薬品を浸漬したとき、液状の薬剤が繊維を介して紙材の隅々まで均一に拡散されている。そのため、試験片２４により食品包装袋内の酸素濃度が高い場合、色が確実に変化するため正確な判断を行うことができる。
（２）大面積の紙材を化学薬品に浸漬するため、従来の紐のように、まず、巻きつけたり絡まったりする問題がない。
（３）紐を複数回カットして時間と労力が無駄となった従来技術と異なり、化学薬品を浸漬した後の紙材のカット作業が容易であるため、１回のカットにより多数の試験片２４を得ることができる。
【００２０】
以下、本考案の食品包装袋の酸素濃度表示装置の応用例を説明する。図７に示すように、図４の構造を基礎とし、試験片２４と空気との接触面積を増やすために、側袋２２の上カバー面２２ａ及び下カバー面２２ｂのそれぞれに複数の開口２２ｈを設ける。当然、上カバー面２２ａ及び下カバー面２２ｂが透明でない場合、開口２２ｈをウィンドウとして用いてもよい。
【００２１】
図８及び図９を参照する。図８及び図９に示すように、本考案の一実施形態による側袋２２’の長辺及び短辺は、それぞれ封止されている。側袋２２’の上カバー面２２ａ’及び下カバー面２２ｂ’に、それぞれ複数の第１の開口２２ｆ’及び第２の開口２２ｇ’を設ける。各開口は、試験片２４と空気との接触を促すためにウィンドウにしてもよい。
【００２２】
図１０を参照する。図１０に示すように、袋体４０と検知ユニット５０とは、個別に製作した後に互いに接続する。袋体４０が有する接合辺４２と、検知ユニット５０の側袋５２が有する１対の突合せ辺５３とを熱圧着により固着する。試験片５４は、側袋５２の中に予め収納しておく。
【００２３】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２４】
１：子袋、１ａ：メイン袋、１ｂ：サブ袋、１ｃ：通気孔、２：脱酸素剤、３：紐、３ａ：細線、３ｂ：細線、１０：袋体、１０ａ：上膜、１０ｂ：中膜、１０ｃ：下膜、１２：通気孔、２０：検知ユニット、２２：側袋、２２’：側袋、２２ａ：上カバー面、２２ａ’：上カバー面、２２ｂ：下カバー面、２２ｂ’：下カバー面、２２ｃ：空間、２２ｄ：長辺、２２ｅ：短辺、２２ｆ：第１の開口、２２ｆ’：第１の開口、２２ｇ：第２の開口、２２ｇ’：第２の開口、２２ｈ：開口、２４：試験片、３０：脱酸素剤、４０：袋体、４２：接合辺、５０：検知ユニット、５２：側袋、５３：突合せ辺、５４：試験片、１００：酸素濃度表示装置。
【図１】
0003158516.tif 000003
【図２】
0003158516.tif 000004
【図３】
0003158516.tif 000005
【図４】
0003158516.tif 000006
【図５】
0003158516.tif 000007
【図６】
0003158516.tif 000008
【図７】
0003158516.tif 000009
【図８】
0003158516.tif 000010
【図９】
0003158516.tif 000011
【図１０】
0003158516.tif 000012